(57)【特許請求の範囲】
【請求項１】
遊技球が入賞口に入賞した場合に所定数の遊技球を払い出す賞品球排出装置と、
該賞品球排出装置から払い出された遊技球を受け入れるための上皿と、
前記上皿に入りきらない遊技球を一時的に貯留するために前記賞品球排出装置から前記上皿への遊技球供給経路に設けられた貯留部と、
前記貯留部に貯留可能な遊技球の最大量を外部から調整可能な容量調整手段と
を備えることを特徴とするパチンコ遊技機。
【請求項２】
前記賞品球排出装置から払い出された遊技球を受け入れるための下皿と、
前記貯留部に入りきらない遊技球を前記下皿へ導くために当該貯留部の上部に開口する第１開口部と、
を備えることを特徴とする請求項１に記載のパチンコ遊技機。
【請求項３】
前記容量調整手段は、
前記第１開口部の開口下端位置を上下に調整するための下端調整部材と、
外部から前記下端調整部材を操作し、前記第１開口部の開口下端位置を上下に調整するための調整部材操作手段と
によって構成されることを特徴とする請求項２に記載のパチンコ遊技機。
【請求項４】
前記賞品球排出装置から払い出された遊技球を受け入れるための下皿と、
前記貯留部内の遊技球を前記下皿へ導くために当該貯留部の下部に開口する第２開口部と、
該第２開口部の開閉を切り換えるための開閉切換部材と、
外部から前記開閉切換部材を操作し、前記第２開口部の開閉を切り換えることにより前記貯留部への貯留の可否を切り換えるための切換部材操作手段と
を備えることを特徴とする請求項１〜３のいずれかに記載のパチンコ遊技機。
【請求項５】
遊技球が入賞口に入賞したにもかかわらず前記賞品球排出装置から正しく  遊技球が払い出されない状態を検出する排出異常検出手段と、
該排出異常検出手段により異常が検出された場合に前記貯留切換手段の操作状態にかかわらず前記開閉切換部材を操作して前記第２開口部を強制的に開口させる強制開口手段と
を備えることを特徴とする請求項４に記載のパチンコ遊技機。
【請求項６】
前記貯留部に貯留されている遊技球の量を検出するための貯留量検出手段と、
該貯留量検出手段により検出された遊技球の貯留量を報知するための貯留量報知手段と
を備えることを特徴とする請求項１〜５のいずれかに記載のパチンコ遊技機。
【請求項７】
前記貯留部に接続された前記遊技球供給経路を構成する連通路は、断面四角形状のパイプ状に形成され、
前記貯留部は、前記パイプより大径に形成された箱状物であることを特徴とする請求項１〜６のいずれかに記載のパチンコ遊技機。
【発明の詳細な説明】
【０００１】
【発明の属する技術分野】
本発明は、パチンコ遊技機に関する。
【０００２】
【従来の技術及び発明が解決しようとする課題】
遊技球が上皿に入りきらない状態でさらに払い出された場合に、払い出しを一時停止し、払い出されていない遊技球の数を記憶装置に記憶し、上皿の遊技球が減少してから随時払い出すものが知られている（特開平３−１９３０７６号公報参照）。
【０００３】
しかし、例えば、万一停電が発生した場合、記憶内容が変更あるいは消去されてしまうおそれがあり、信頼性に問題がある。また、信頼性を確保するため、補助電源を備えることによって記憶内容を保持することも考えられるが、製造コストの上昇を招くので、好ましくない。
【０００４】
そこで、本発明は、停電の影響を受けることなく上皿に払いだされていない遊技球を貯留することができるパチンコ遊技機を提供することを目的とする。
【０００５】
【課題を解決するための手段、及び発明の効果】
この様な目的を達成するため、本発明にかかるパチンコ遊技機は、遊技球が入賞口に入賞した場合に所定数の遊技球を払い出す賞品球排出装置と、該賞品球排出装置から払い出された遊技球を受け入れるための上皿と、前記上皿に入りきらない遊技球を一時的に貯留するために前記賞品球排出装置から前記上皿への遊技球供給経路に設けられた貯留部と、前記貯留部に貯留可能な遊技球の最大量を外部から調整可能な容量調整手段とを備えることを特徴とする。
【０００６】
本発明にかかるパチンコ遊技機では、上皿に払い出されていない遊技球を物理的に貯留するので、停電等の影響を受けることがない。このため、遊技者は安心して遊技を行うことができる。
また、本発明にかかるパチンコ遊技機では、容量調整手段を用いることにより、遊技者自身が貯留部に貯留することができる遊技球の最大量を自由に設定することができる。このため、この値を小さく設定すれば遊技球の浪費を防止することができ、大きく設定すれば遊技球を上皿へ移す煩わしさを軽減することができる。この様に構成されている場合には、貯留を行うか行わないかだけでなく、貯留量をどの程度にするのかを設定することができるので、遊技者の要求に対してより的確に応えることができる。
【０００７】
次に、請求項２に記載のパチンコ遊技機は、前記賞品球排出装置から払い出された遊技球を受け入れるための下皿と、前記貯留部に入りきらない遊技球を前記下皿へ導くために当該貯留部の上部に開口する第１開口部と、を備えることを特徴とする。
本発明にかかるパチンコ遊技機では、例えば大当りが発生した場合に払い出される大量の遊技球の内、上皿に入りきらない分はまず貯留部に貯留され、貯留部にも入りきらない遊技球が貯留部の上部に設けられている第１開口部を経由して下皿に導かれる。そして、その後遊技を続けて遊技球が消費されると、貯留部に貯留されている遊技球が随時上皿へ供給される。
このため、本発明にかかるパチンコ遊技機によれば、上皿の遊技球が消費され続けても、貯留部に遊技球が貯留されている間は、下皿やドル箱から上皿へ遊技球を移さなくても遊技を続けることができる。従って、遊技球を下皿やドル箱から上皿へ移す煩わしさを軽減することができる。
【０００８】
ところで、容量調整手段としては、例えば貯留部の側壁面を前後左右に移動させ、貯留部の容積を増減させることによって、貯留部に貯留させることができる遊技球の最大量を調整するものを挙げることができる。しかし、この様に構成するためには、多数の部材と複雑な機構が必要となるので、容量調整手段の大型化及び複雑化を招くおそれがある。
そこで、前記容量調整手段は、請求項３に記載した様に、前記第１開口部の開口下端位置を上下に調整するための下端調整部材と、外部から前記下端調整部材を操作し、前記第１開口部の開口下端位置を上下に調整するための調整部材操作手段とによって構成されているとよい。この様に構成されている場合には、容量調整手段の大型化及び複雑化を招くことなく、貯留部に貯留させることができる遊技球の最大量を調整することができる。
なお、貯留部に貯留させることができる遊技球の最大量の調整は、前述した様に遊技者が自由に行うことができる様に構成してもよいし、パチンコ遊技場の店員だけが行うことができる様に構成し、パチンコ遊技場の経営方針に基づいて設定する様にしてもよい。
【０００９】
次に、請求項４に記載のパチンコ遊技機は、賞品球排出装置から払い出された遊技球を受け入れるための下皿と、貯留部内の遊技球を前記下皿へ導くために貯留部の下部に開口する第２開口部と、第２開口部の開閉を切り換えるための開閉切換部材と、外部から開閉切換部材を操作し、第２開口部の開閉を切り換えることにより貯留部への貯留の可否を切り換えるための切換部材操作手段とを備えることを特徴とする。
【００１０】
遊技者の中には、大当りが発生したら遊技球をあまり浪費しない内に遊技を終了する者や、払い出された遊技球をドル箱に入れて、目で見ること、あるいは手で触れることを楽しむ者もいるので、遊技球を貯留することが好まれない場合もある。
しかし、本発明にかかるパチンコ遊技機では、切換部材操作手段によって開閉切換部材を操作して貯留部の下部に設けられた第２開口部を開口させると、上皿に入りきらない分は、貯留部には貯留されず、第２開口部から下皿へ導かれる様になるので、この様な遊技者にも対応することができる。
【００１１】
ところで、従来のパチンコ遊技機では、上皿が満杯になった後で遊技球が入賞口に入賞して賞品球排出装置から遊技球が払い出された場合には、払い出された遊技球は下皿へ導かれるが、本発明にかかるパチンコ遊技機では、上皿が満たされてから貯留部が満たされるまでの間は、賞品球排出装置から遊技球が払い出されたとしても、パチンコ遊技機の外部即ち下皿には何等変化がない。極希に、賞品球排出装置の上流に設けられているタンクや、賞品球排出装置の直前で遊技球が詰まり、賞品球排出装置から正しく遊技球が払い出されなくなることがあるが、本発明にかかるパチンコ遊技機では上記の様な理由から、遊技球の払い出しが正しく行われているのか否かを外部から識別することはできない。このため、万一、賞品球排出装置から正しく遊技球が払い出されなくなった場合には、遊技者がそのことに気付かないおそれがある。なお、従来のパチンコ遊技機は、賞品球排出装置から正しく遊技球が払い出されなくなると、例えばパチンコ遊技機上方のランプが点灯する様に構成されているが、遊技に集中している場合には、ランプが点灯していても気付かないおそれがある。さらに、この様なランプは、形状、位置、点灯方法等が統一されていないので、遊技者がランプの点灯に気付いても、何を報知するために点灯しているのかを理解することができないおそれもある。
【００１２】
そこで、請求項５に記載した様に、本発明にかかるパチンコ遊技機は、遊技球が入賞口に入賞したにもかかわらず前記賞品球排出装置から正しく遊技球が払い出されない状態を検出する排出異常検出手段と、該排出異常検出手段により異常が検出された場合に前記切換部材操作手段の操作状態にかかわらず前記開閉切換部材を操作して前記第２開口部を強制的に開口させる強制開口手段とを備えているとさらによい。
【００１３】
本発明にかかるパチンコ遊技機がこの様に構成されている場合には、遊技球が入賞口に入賞したにもかかわらず賞品球排出装置から正しく遊技球が払い出されない場合には、排出異常検出手段がその旨を検出し、それに伴って強制開口手段が開閉切換部材を操作して第２開口部を強制的に開口させる。すると、貯留部に貯留されているはずの遊技球が突然下皿へ導かれるので、遊技者は、遊技に集中していたとしても、パチンコ遊技機に何等かの異常が発生していることに気付く。
【００１４】
ところで、本発明にかかるパチンコ遊技機において、第２開口部を閉口させて遊技を行うと、貯留部の容量の範囲内で遊技球の量が増減している場合には、遊技者は、所持している遊技球の量がどの程度であるのかを把握し難いので、遊技を終了するきっかけを逸し、遊技球を消費し続けてしまうおそれがある。特に、貯留部が大容量であると、気が付かない間に大量の遊技球を消費してしまうおそれがある。
【００１５】
そこで、請求項６に記載した様に、本発明にかかるパチンコ遊技機は、前記貯留部に貯留されている遊技球の量を検出するための貯留量検出手段と、該貯留量検出手段により検出された遊技球の貯留量を報知するための貯留量報知手段とを備えているとよい。
本発明にかかるパチンコ遊技機がこの様に構成されている場合には、遊技者は、貯留部に貯留されている遊技球の量を把握することができるので、遊技を続けるか否かの判断基準とすることができる。このため、気が付かない間に遊技球を浪費してしまうことがなくなる。
【００１６】
尚、請求項７に記載したように、貯留部に接続された遊技球供給経路を構成する連通路は、断面四角形状のパイプ状に形成され、貯留部は、パイプより大径に形成された箱状物に形成してもよい。
【００２０】
【発明の実施の形態】
以下、本発明の一実施例を図面に基づいて説明する。
まず、本実施例のパチンコ遊技機の構成について説明する。
図１は、本実施例のパチンコ遊技機の構造を説明するための模式的な斜視図であり、図２は、貯留部の構造を説明するための模式的な斜視図であり、図３は、第１開口部及び第１操作部の構造を説明するための斜視図（ａ）、及び第１操作部の構造を説明するための裏面図（ｂ）であり、図４は、第２開口部及び第２操作部の構造を説明するための斜視図（ａ）、及び第１操作部及び第２操作部の設置状態を説明するための正面図（ｂ）であり、図５は、第３開口部の構造を説明するための斜視図である。
【００２１】
図１〜５に示す様に、本実施例のパチンコ遊技機Ｐは、上皿Ａと、下皿Ｂと、貯留部１と、排出装置連通路２と、上皿連通路３と、下皿連通路４と、球抜用下皿連通路５と、第１操作部６と、第２操作部７と、第３操作部８とを備える。
貯留部１は、図２に示す様に、排出装置連通路２及び上皿連通路３と接続されている。また、貯留部１の側壁面には、第１開口部１ａ及び第２開口部１ｂが設けられており、これらの開口部によって下皿連通路４と接続されている。さらに、貯留部１の底面には第３開口部１ｃが設けられており、球抜用下皿連通路５と接続されている。さらにまた、貯留部１の側壁面には、前述した貯留量検出手段として機能する貯留量センサ１ｄが３つ取り付けられている。貯留量センサ１ｄは、近接センサによって構成されており、貯留部１内に積み上げられている遊技球の高さを検出することによって、貯留されている遊技球のおおよその量を検出するものである。なお、各貯留量センサ１ｄによって検出される遊技球の量は、各々２０００発、３０００発、４０００発であり、前述した貯留量報知手段として機能する図示しない表示ランプが点灯することによって随時その数が表示される。
【００２２】
排出装置連通路２は、図示しない賞品球排出装置から払い出される遊技球を貯留部１に導くためのものであり、上皿連通路３は、貯留部１内の遊技球を上皿Ａに導くためのものである。
下皿連通路４は、貯留部１内の遊技球を第１開口部１ａあるいは第２開口部から取り込み、下皿Ｂに導くためのものであり、球抜用下皿連通路５は、貯留部１内の遊技球を第３開口部１ｃから取り込み、下皿連通路４に導くためのものである。
【００２３】
第１開口部１ａは、図３（ａ）に示す様に、上部約３分の１は横長の長方形状に形成され、その下は幅が狭く形成されており、全体として略Ｔ字状になっている。そして、幅が狭い部分には、ガイドギア４ｂ、駆動ギア４ｃ及びガイドローラ４ｄによって左右から支持される開口量調整弁４ａが備えられている。開口量調整弁４ａは、貯留部壁面４ｅ及び下皿連通路壁面４ｆによって前後からも支持されている。そして、開口量調整弁４ａの右側面には、ガイドギア４ｂ及び駆動ギア４ｃと噛合する歯が形成されており、開口量調整弁４ａは、駆動ギア４ｃが回転するに連れて上下に移動する様に構成されており、図３（ａ）に示す状態において駆動ギア４ｃが左回りに３回転すると、開口量調整弁４ａは最下部まで移動する様に構成されている。駆動ギア４ｃは、外筒４ｈに覆われたワイヤ４ｇを介して第１操作部６のハンドル６ａに固定されており、ハンドル６ａが１回転すると駆動ギア４ｃも１回転する。なお、本実施例においては、第１開口部１ａ及び開口量調整弁４ａに遊技球が詰まらない様にするため、第１開口部１ａの幅が狭い部分は、遊技球の直径の３倍より広くかつ４倍より狭く形成され、また、下端部が円弧状に形成され、さらに、開口量調整弁４ａに半円状の切欠部が形成されている。
【００２４】
第１操作部６は、図３（ａ）、（ｂ）及び図４（ｂ）に示す様に、ハンドル６ａと、指示リング６ｂと、指示部６ｃと、ハンドル軸ギア６ｄと、第１大ギア６ｅと、第１小ギア６ｆと、第２大ギア６ｇと、第２小ギア６ｈと、第３ギア６ｉと、第４ギア６ｊとを備える。ハンドル軸ギア６ｄは、ハンドル６ａに固定されており、ハンドル６ａと共に回転する。また、第１大ギア６ｅは第１小ギア６ｆに固定され、第２大ギア６ｇは第２小ギア６ｈに固定されている。そして、ハンドル軸ギア６ｄが回転すると、回転は第１大ギア６ｅへ伝わり、さらに第１小ギア６ｆから第２大ギア６ｇへ、第２小ギア６ｈから第３ギア６ｉ、第４ギア６ｊへと伝わり、第４ギア６ｊから指示リング６ｂに伝わる様に構成されている。そして、第１大ギア６ｅの径は第１小ギア６ｆの径の４倍、第２大ギア６ｇの径は第２小ギア６ｈの径の３倍となる様に選択されており、ハンドル６ａが３回転すると指示リング６ｂが４分の１回転する。なお、開口量調整弁４ａが、前述した下端調整部材に該当し、駆動ギア４ｃ、ワイヤ４ｇ及び第１操作部６が、前述した調整部材操作手段に該当する。
【００２５】
第２開口部１ｂは、図４（ａ）に示す様に、窓４ｊを有する貯留切換弁４ｉによって覆われており、貯留切換弁４ｉは、第１腕４ｋ及び第２腕４ｌを介して第２操作部７と接続されている。第１腕４ｋは、一端を貯留切換弁４ｉに回動自在に固定されている。第２腕４ｌはＬ字状に形成されており、一端を第１腕４ｋに回動自在に固定され、他端を第２操作部７に固定されている。第２操作部７は、図４（ａ）及び（ｂ）に示す様に、指示部７ａを備える。そして、図に示す状態から第２操作部７が左回りに４分の１回転すると、第２腕４ｌが第１腕４ｋ及び貯留切換弁４ｉを左方向へ引き、貯留切換弁４ｉの窓４ｊが第２開口部１ｂに重なる。すると、貯留部１内の遊技球は、第２開口部１ｂから下皿連通路４へ移動することができる様になる。一方、図４（ａ）に示す状態では、貯留切換弁４ｉによって第２開口部１ｂが閉塞されており、貯留部１内の遊技球は、第２開口部１ｂを通過することができない。なお、貯留切換弁４ｉは、プランジャ４ｍとも接続されている。そして、プランジャ４ｍは、図示しない電磁ソレノイドに通電されると、第２操作部７が図４（ａ）に示す状態であっても、強制的に貯留切換弁４ｉを左方向へ引く（電磁ソレノイドに通電する条件については後述する。）。なお、貯留切換弁４ｉが、前述した開閉切換部材に該当し、第１腕４ｋ、第２腕４ｌ及び第２操作部７が、前述した切換部材操作手段に該当する
第３開口部１ｃは、図５に示す様に、窓５ｂを有する球抜切換弁５ａによって覆われており、球抜切換弁５ａは、第１腕５ｃ、第２腕５ｄ及び第３腕５ｅを介して第３操作部８と接続されている。第１腕５ｃは、一端を球抜切換弁５ａに回動自在に固定され、他端を第２腕５ｄに回動自在に固定されている。第３腕５ｅは一端を第２腕５ｄに回動自在に固定され、他端を第３操作部８に固定されている。また、第２腕は、固定支点５ｆにおいてパチンコ遊技機Ｐのフレームに回動自在に固定されている。また、球抜切換弁５ａには、スプリング５ｇが取り付けられている。そして、図５に示す状態から第３操作部８を操作して右方向に移動させると、第１腕５ｃは左方向に押され、球抜切換弁５ａの窓５ｂが第３開口部１ｃに重なる。すると、貯留部１内の遊技球は、第２開口部１ｂから下皿連通路４へ移動することができる様になる。そして、第３操作部８から手を放すと、スプリング５ｇの付勢力によって、図５に示す状態に戻される。なお、図示しないが、第３操作部８は、遊技終了時に上皿Ａの遊技球を下皿Ｂに導くための周知の上部遊技球抜き部材としての構成も有している。
【００２６】
また、本実施例のパチンコ遊技機Ｐは、賞品球排出装置、賞品球排出装置の上流に設けられるタンク等における球詰まり等の異常事態の発生を検出するための各種センサ（図示せず）を備えており、検出内容はマイクロコンピュータ（図示せず）によって処理される。図６は、マイクロコンピュータのＣＰＵが行う異常事態対策処理の流れを表すフローチャートである。この処理は、図示しない電源装置からパチンコ遊技機Ｐに電力が供給されると開始され、以後１秒周期で繰り返し行われる。まず、ＣＰＵは、各種センサの検出内容を取得する（Ｓ１０）。そして、異常事態の発生が検出されていない場合には（Ｓ２０において「ＮＯ」）、処理を終了する。逆に、異常事態の発生が検出されている場合には（Ｓ２０において「ＹＥＳ」）、異常事態の発生が５秒継続して検出されているか否か、即ち異常事態の発生が５回連続で検出されているか否かを判断する（Ｓ３０）。そして、５秒継続している場合には（Ｓ３０において「ＹＥＳ」）、図示しない報知ランプを点灯させて遊技者に報知する（Ｓ４０）と共に、前述した電磁ソレノイドに３秒間通電し、第２開口部１ｂを開口させ（Ｓ５０）、処理を終了する。なお、この各種センサが、前述した排出異常検出手段に該当し、電磁ソレノイド、プランジャ４ｍ及び図６のフローチャートに示す処理を行うマイクロコンピュータが、前述した強制開口手段に該当する。
【００２７】
次に、本実施例のパチンコ遊技機Ｐで、実際に遊技者が遊技を行う場合の具体的な動作内容について一例を挙げて説明する。
まず、遊技者は、第２操作部７を操作して貯留の可否を設定し、さらに第１操作部６を操作して貯留部１に貯留させることができる遊技球の最大量を設定する。なお、遊技中に第１操作部６及び第２操作部７を操作して、設定を変更することができる。ここでは、例えば図３、４に示す様な状態に設定された場合について説明する。このように設定されている状態で、遊技者が遊技を開始して遊技球が所定の入賞口に入賞すると、賞品球排出装置から払い出された遊技球は、排出装置連通路２、貯留部１及び上皿連通路３を経由して上皿Ａへ流れる。その後、例えば大当りが発生して賞品球排出装置から大量の遊技球が払い出されると、上皿Ａに入りきらない分は貯留部１に貯留される。そして、貯留部１に貯留されている遊技球が約２０００発、３０００発及び４０００発に達すると、各貯留量センサ１ｄがその旨を検出し、表示ランプが点灯することによってその数が表示される。その後、遊技を続けて遊技球が消費されると、貯留部１に貯留されている遊技球が随時上皿Ａへ供給されると共に、表示ランプの点灯状態が変化する。なお、貯留部１が満杯になってさらに払い出される遊技球は、第１開口部１ａ及び下皿連通路４を経由して下皿Ｂに導かれる。そして、遊技を終了する場合には、第３操作部８を操作して、第３開口部１ｃを開口させる。すると、遊技球は、第３開口部１ｃ、球抜用下皿連通路５及び下皿連通路４を経由して下皿Ｂに導かれる。また、遊技者が、遊技中に第２操作部７を操作して、第２開口部１ｂを開口させた場合、即ち貯留を解除した場合には、上皿Ａに入りきらない遊技球は、貯留部１に貯留されずに第２開口部１ｂ及び下皿連通路４を経由して下皿Ｂに導かれる。
【００２８】
そして、例えば賞品球排出装置に遊技球が詰まり、さらにその状態が５秒以上継続すると（Ｓ２０及びＳ３０において「ＹＥＳ」）、報知ランプが点灯する（Ｓ４０）と共に、第２開口部１ｂが開口（Ｓ５０）して貯留部１に貯留されている遊技球が強制的に下皿Ｂに排出される。
【００２９】
次に、本実施例のパチンコ遊技機の効果について説明する。
本実施例のパチンコ遊技機Ｐでは、上皿Ａに入りきらない遊技球はまず貯留部１に貯留され、貯留部１にも入りきらない遊技球が第１開口部１ａ及び下皿連通路４を経由して下皿Ｂに導かれる。このため、上皿Ａの遊技球が消費され続けても、貯留部１に遊技球が貯留されている間は、下皿Ｂやドル箱から上皿Ａへ遊技球を移さなくても遊技を続けることができる。従って、遊技球を下皿Ｂやドル箱から上皿Ａへ移す煩わしさを軽減することができる。また、遊技球を物理的に貯留するので、停電等の影響を受けることがない。このため、遊技者は安心して遊技を行うことができる。
【００３０】
また、第２操作部を操作することによって第２開口部１ｂを開口させると、上皿Ａに入りきらない遊技球は、第２開口部１ｂから下皿Ｂに導かれるので、遊技球の貯留を好まない遊技者にも対応することができる。
また、貯留量センサ１ｄが貯留部１に貯留されている遊技球の量を検出して、表示ランプの点灯によって遊技者に報知するので、遊技者は、遊技を続けるか否かを容易に判断することができる。このため、気が付かない間に遊技球を浪費してしまうことがなくなる。
【００３１】
また、第１操作部６によって、遊技者自身が貯留部１に貯留することができる遊技球の最大量を任意に設定することができるので、遊技者の要求に対してより的確に応えることができる。
また、遊技球が入賞口に入賞したにもかかわらず賞品球排出装置から正しく遊技球が払い出されない場合には、第２開口部１ｂが強制的に開口され、貯留部１に貯留されているはずの遊技球が突然下皿Ｂへ導かれるので、遊技者は、遊技に集中していたとしても、パチンコ遊技機Ｐに何等かの異常が発生していることに容易に気付く。
【００３２】
また、第３操作部８を操作することによって第３開口部１ｃを開口させると、上皿Ａ及び貯留部１に貯留されている遊技球をまとめて下皿Ｂに導くことができる。このため、遊技を終了した後、遊技球を下皿Ｂへ導き、さらにドル箱へ移す作業を容易に行うことができる。
【００３３】
以上、本発明の実施の形態を説明するために一実施例を挙げたが、本発明は、上記実施例に何等限定されるものではなく、さらに種々なる態様において実施してもよいことはもちろんである。例えば、上記実施例では第２開口部１ｂと第３開口部１ｃとを分けているが、１つの開口部にまとめてもよい。また、上記実施例では、下皿連通路４は、貯留部１の背面から貯留部１の下方を通って下皿Ｂに至る様に設けられているが、貯留部１の側方に設けられていてもよい。
【図面の簡単な説明】
【図１】  実施例のパチンコ遊技機の構造を説明するための模式的な斜視図である。
【図２】  貯留部の構造を説明するための模式的な斜視図である。
【図３】  第１開口部及び第１操作部の構造を説明するための説明図である。
【図４】  第２開口部及び第２操作部の構造と第１操作部及び第２操作部の設置状態とを説明するための説明図である。
【図５】  第３開口部の構造を説明するための斜視図である。
【図６】  異常事態対策処理の流れを表すフローチャートである。
【符号の説明】
Ｐ…パチンコ遊技機    Ａ…上皿    Ｂ…下皿    １…貯留部    １ａ…第１開口部    １ｂ…第２開口部    １ｃ…第３開口部    １ｄ…貯留量センサ
２…排出装置連通路    ３…上皿連通路    ４…下皿連通路    ４ａ…開口量調整弁    ４ｂ…ガイドギア    ４ｃ…駆動ギア    ４ｄ…ガイドローラ    ４ｅ…貯留部壁面    ４ｆ…下皿連通路壁面    ４ｇ…ワイヤ    ４ｈ…外筒    ４ｉ…貯留切換弁    ４ｊ…窓    ４ｋ…第１腕    ４ｌ…第２腕    ４ｍ…プランジャ    ５…球抜用下皿連通路    ５ａ…球抜切換弁    ５ｂ…窓    ５ｃ…第１腕    ５ｄ…第２腕    ５ｅ…第３腕    ５ｆ…固定支点    ５ｇ…スプリング    ６…第１操作部    ６ａ…ハンドル    ６ｂ…指示リング    ６ｃ…指示部    ６ｄ…ハンドル軸ギア    ６ｅ…第１大ギア    ６ｆ…第１小ギア
６ｇ…第２大ギア    ６ｈ…第２小ギア    ６ｉ…第３ギア    ６ｊ…第４ギア
７…第２操作部    ７ａ…指示部    ８…第３操作部。
【図１】
0004277322.tif 000002
【図２】
0004277322.tif 000003
【図３】
0004277322.tif 000004
【図４】
0004277322.tif 000005
【図５】
0004277322.tif 000006
【図６】
0004277322.tif 000007